【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
少なくとも１つの伝送機および少なくとも１つの受信機を接続する障害データチャネルの２Ｄチャネル状態を獲得する自動方法であって、
前記少なくとも１つの伝送機は、Ｔ個の一意的に構成された伝送アンテナを有し、前記少なくとも１つの受信機は、Ｒ個の一意的に構成された受信アンテナを有し、ＴおよびＲは両方とも、１より大きく、Ｒは、Ｔ以上であり、前記少なくとも１つの伝送機は、ストリーム識別可能ＯＴＦＳパイロットバーストの多くてもＴ個のストリームを、同一の周波数範囲にわたって同時に伝送するために、そのＴ個の伝送アンテナを使用するように構成され、前記ストリーム識別可能パイロットバーストのうちの１つ以上は、同時に、前記Ｔ個の伝送アンテナのうちの１つよりも多くを通して伝送され、各ストリーム識別可能ＯＴＦＳパイロットバーストは、ストリーム識別可能であるように選定される異なるＯＴＦＳパイロット記号を有し、前記ストリーム識別可能ＯＴＦＳパイロットバーストは、時間および周波数の複数の組み合わせにわたって伝送され、各前記時間および周波数は、２次元パイロットＯＴＦＳ時間・周波数グリッドから選定される一意的パイロット時間・周波数座標であり、
前記方法は、
前記少なくとも１つの受信機において、少なくとも、前記ＯＴＦＳ時間・周波数グリッドに比例するビンサイズおよびビン座標位置を伴う受信機ビンを有する２次元パイロットＯＴＦＳ時間・周波数ビン構造に従って、少なくとも前記ストリーム識別可能ＯＴＦＳパイロットバーストを受信することを含み、
前記障害データチャネルを通した伝搬時に、ストリーム識別可能ＯＴＦＳパイロットバーストは、前記少なくとも１つの伝送機から前記少なくとも１つの受信機まで直接進行し、その結果、前記ストリーム識別可能ＯＴＦＳパイロットバーストは、前記少なくとも１つの受信機において伝送機周波数偏移および受信機周波数偏移させられる、ストリーム識別可能ＯＴＦＳパイロットバーストになり、かつ／または、ストリーム識別可能ＯＴＦＳパイロットバーストは、前記少なくとも１つの受信機に到達する前に、少なくとも１つの反射器から反射しており、その結果、前記ストリーム識別可能ＯＴＦＳパイロットバーストは、前記少なくとも１つの受信機においてさらに反射器時間遅延および反射器周波数偏移させられる、ストリーム識別可能ＯＴＦＳパイロットバーストになり、
前記少なくとも１つの受信機において、伝送機周波数偏移および受信機周波数偏移させられる、前記ストリーム識別可能ＯＴＦＳパイロットバーストのうちの任意のストリーム識別可能ＯＴＦＳパイロットバーストと、さらに反射器時間遅延および反射器周波数偏移させられる、前記ＯＴＦＳパイロットバーストのうちの任意のストリーム識別可能ＯＴＦＳパイロットバーストとの結果として生じる組み合わせは、チャネル畳み込みストリーム識別可能ＯＴＦＳパイロットバーストを生成し、
前記受信することは、前記チャネル畳み込みストリーム識別可能ＯＴＦＳパイロットバーストを受信するために、前記ビン構造を使用することを含み、
前記Ｔ個の伝送アンテナおよびＲ個の受信アンテナは、前記Ｒ個の受信アンテナが、検出可能に異なる２Ｄチャネル状態とともに、異なる受信アンテナ特有のチャネル畳み込みストリーム識別可能ＯＴＦＳパイロットバーストを受信するように、構成され、
前記少なくとも１つの受信機において、前記アンテナ特有のチャネル畳み込みストリーム識別可能ＯＴＦＳパイロットバーストを受信するために、前記Ｒ個の受信アンテナを使用し、
各無線受信アンテナＲａおよび各ストリーム識別可能な複数のＯＴＦＳパイロット記号波形に関して、前記受信アンテナにおける前記２Ｄチャネル状態を判定するために、受信機プロセッサを使用し、それによって、ストリーム特有２Ｄチャネル状態を判定する、方法。
【請求項２】
伝送に先立って、前記複数のＯＴＦＳパイロット記号および２次元パイロットＯＴＦＳ時間・周波数グリッドならびにビン構造は、前記少なくとも１つの伝送機による伝送後に、前記障害データチャネルが、後に、第１の時間・周波数座標において最初に伝送された前記ストリーム識別可能ＯＴＦＳパイロットバーストのうちの少なくともいくつかを、異なる時間・周波数座標において最初に伝送された異なるストリーム識別可能ＯＴＦＳパイロットバースト、および前記ストリーム識別可能ＯＴＦＳパイロットバーストに公称上対応するものと異なるビン上に投影させる場合、選定され、
前記方法は、
前記投影のうちの少なくともいくつかを検出することをさらに含む、請求項１に記載の方法。
【請求項３】
ストリーム識別可能ＯＴＦＳパイロットバーストとして伝送される、前記複数のＯＴＦＳパイロット記号は、前記少なくとも１つの受信機によって検出可能であるために十分な出力でストリーム識別可能ＯＴＦＳパイロットバーストとして伝送される、少なくとも１つの非ヌルＯＴＦＳパイロット記号を備え、以下のうちのいずれかであり、すなわち、
１：前記複数のＯＴＦＳパイロット記号のうちの少なくともいくつかは、いかなる波形バーストも伝送されない、前記２次元パイロットＯＴＦＳ時間・周波数グリッドから選定される、空の一意的パイロット時間・周波数座標を作成することを意図する、ヌルパイロット記号であり、または、
２：前記複数のＯＴＦＳパイロット記号のうちの少なくともいくつかは、前記２次元パイロットＯＴＦＳ時間・周波数グリッドから選定される一意的パイロット時間・周波数座標の一様な背景を作成することが意図される背景パイロット記号であり、前記方法は、
前記一様な背景上へのチャネル畳み込み非ヌルＯＴＦＳパイロットバーストの投影を検出することをさらに含む、請求項２に記載の方法。
【請求項４】
各前記２Ｄチャネル状態を判定することは、前記障害データチャネルがどのようにして、第１の時間・周波数座標において伝送された前記ストリーム識別可能ＯＴＦＳパイロットバーストのうちの少なくともいくつかを、異なる時間・周波数座標において最初に伝送された異なるストリーム識別可能ＯＴＦＳパイロットバースト、および前記ストリーム識別可能ＯＴＦＳパイロットバーストに公称上対応するものと異なるビン上に投影させるかを数学的に表すために、少なくとも１つの２Ｄインパルス応答を使用することを含む、請求項１に記載の方法。
【請求項５】
２ＤＺ変換または他の２Ｄ変換のうちの少なくとも１つを備える、少なくとも１つの２Ｄ変換として、前記２Ｄチャネル状態を少なくとも部分的に表すために、複数の前記ビンからの複数の前記２Ｄインパルス応答を使用することをさらに含む、請求項４に記載の方法。
【請求項６】
前記２Ｄチャネル状態は、前記伝送機によって伝送される全ての信号がどのようにして、前記受信機によって受信される前記伝送機からの全ての信号と結合されるかを表す、前記障害データチャネルのための行列または他の数学的変換を備える、請求項１に記載の方法。
【請求項７】
前記複数のＯＴＦＳパイロット記号は、前記少なくとも１つの受信機によって把握され、前記複数のＯＴＦＳパイロット記号はさらに、２進最大長偏移レジスタシーケンスを備える、１または２次元ｍシーケンス、ゼロ値の領域によって囲繞されるデルタ値、１または２次元バーカー符号、コスタス配列、ウォルシュ行列、もしくは前記２Ｄチャネル状態を獲得することを促進するように選択される他の複数のパイロット記号のうちのいずれかであるように選定され、
前記ビンは、前記グリッドの時間・周波数分解能と等しいまたはそれより精密である、時間・周波数分解能を有する、請求項１に記載の方法。
【請求項８】
また、複数のデータ搬送波形バーストを備えるストリーム識別可能ＯＴＦＳデータバーストとして、複数のデータ記号のうちの少なくともいくつかを伝送するため、ならびに前記ストリーム識別可能ＯＴＦＳパイロットバーストとともに前記ストリーム識別可能ＯＴＦＳデータバーストを前記少なくとも１つの受信機に伝送するために、前記障害データチャネルを通して前記複数のデータ記号を伝送することであって、
前記ストリーム識別可能ＯＴＦＳデータバーストはまた、前記少なくとも１つの反射器から反射され、それによって、前記少なくとも１つの受信機において、時間遅延および反射器周波数偏移させられるデータバーストを含む複製データバーストを生成し、前記少なくとも１つの受信機において、前記少なくとも１つの反射器から反射された後に受信される任意の前記伝送機周波数偏移および受信機周波数偏移させられるストリーム識別可能ＯＴＦＳデータバースト、および、複製データバーストの結果として生じる組み合わせは、チャネル畳み込みストリーム識別可能ＯＴＦＳデータバーストを生成する、ことと、
ａ）前記障害データチャネルを事前補償するように、前記少なくとも１つの伝送機において前記ストリーム識別可能ＯＴＦＳデータバーストのうちの少なくともいくつかを事前コード化すること、および
ｂ）前記少なくとも１つの受信機において前記アンテナ特有のチャネル畳み込みストリーム識別可能ＯＴＦＳデータバーストのうちの少なくともいくつかを逆畳み込みし、それによって、前記複数のデータ記号の少なくとも近似値を導出すること
のうちの少なくとも１つをさらに行うために、前記ストリーム特有２Ｄチャネル状態を使用することと
をさらに含む、請求項１に記載の方法。
【請求項９】
少なくとも前記データ記号はさらに、２次元ＯＴＦＳデータ時間・周波数グリッドの記号フレーム部分に配列され、前記記号フレームは、少なくとも前記データ記号のＮ×ＮまたはＮ×Ｍフレームのいずれか一方であり、ＮおよびＭは両方とも、１より大きい整数であり、
記号フレーム毎の基準で、無損失かつ可逆変換を使用して、前記記号フレーム内の少なくとも全てのデータ記号にわたって、少なくとも各データ記号からの情報が拡散させられ、それによって、複数のＯＴＦＳ記号と、対応するＯＴＦＳ変換データバーストとを備える、対応するＯＴＦＳフレームを生成し、
前記方法は、
ＯＴＦＳフレーム毎の基準で、前記チャネル畳み込みＯＴＦＳ変換データバーストを受信することと、
ＯＴＦＳフレーム毎の基準で、前記複数のＯＴＦＳ記号を逆畳み込みし、それによって、前記ＯＴＦＳフレームの近似値を生成することと、
前記ＯＴＦＳフレームの前記近似値から、さらに反射器時間遅延および反射器周波数偏移させられる、データバーストの少なくともデータ記号を抽出することと
をさらに含む、請求項８に記載の方法。
【請求項１０】
前記ストリーム識別可能ＯＴＦＳデータバーストは、ＯＴＦＳデータ記号波形バーストとして伝送される複数のＯＴＦＳデータ記号として、前記複数のデータ記号のうちの少なくともいくつかを伝送し、
前記複数のデータ記号の中の個々のデータ記号は、伝送に先立って、前記伝送機において、複数のＯＴＦＳデータ記号に符号化され、前記符号化は、前記受信機が、前記個々のデータ記号を判定するために十分な情報を提供するように、複数のＯＴＦＳデータ記号を失敗なく受信しなければならないように構成される、請求項８に記載の方法。
【請求項１１】
前記ＯＴＦＳデータ記号波形バーストおよび前記複数の前記ＯＴＦＳパイロット記号波形バーストは、共通する複数の時間および周波数から選定され、各前記時間および周波数は、２次元ＯＴＦＳ時間・周波数座標の共通グリッドから選定される、一意的時間・周波数座標であり、
前記ＯＴＦＳデータ記号波形バーストの前記時間・周波数座標はさらに、前記ＯＴＦＳパイロット記号波形バーストの時間・周波数座標と重複しないように選定される、請求項１０に記載の方法。
【請求項１２】
前記ＯＴＦＳデータのＯＴＦＳデータ記号波形バースト、およびＯＴＦＳパイロット記号波形バーストとして伝送される前記複数のＯＴＦＳパイロット記号は、前記２次元ＯＴＦＳデータ時間・周波数グリッドから選定される、全ての一意的時間・周波数座標を占有しない、請求項１１に記載の方法。
【請求項１３】
前記ＯＴＦＳデータのＯＴＦＳデータ記号波形バースト、およびＯＴＦＳパイロット記号波形バーストとして伝送される前記複数のＯＴＦＳパイロット記号は、全てが同一の出力レベルで伝送されるわけではないが、代わりに、いくつかのＯＴＦＳデータ記号波形バーストまたはいくつかのＯＴＦＳパイロット記号波形バーストは、少なくとも前記２Ｄチャネル状態、前記少なくとも１つの受信機までの距離、もしくは前記少なくとも１つの受信機の感度に従って選定される出力レベルで送信される、請求項１１に記載の方法。
【請求項１４】
前記ＯＴＦＳデータ記号波形バーストの前記時間・周波数座標はさらに、前記ＯＴＦＳパイロット記号波形バーストの前記時間・周波数座標を囲繞するか、またはそれに隣接するかのいずれかであるように、選定され、
前記ＯＴＦＳパイロット基礎波形および前記ＯＴＦＳデータ基礎波形は、同一の基礎波形であるように選定される、請求項１１に記載の方法。
【請求項１５】
前記障害データチャネルは、少なくとも１つの光ファイバを備える光ファイバデータチャネル、少なくとも１つの金属導電体を備える導電ワイヤデータチャネル、または流体を備えるデータチャネルである、請求項１に記載の方法。
【請求項１６】
前記障害データチャネルは、無線データチャネルであり、前記伝送機は、無線伝送機であり、前記受信機は、無線受信機であり、前記反射器は、反射器速度をさらに備える、無線反射器であり、前記反射器周波数偏移は、受信機速度ドップラ偏移であり、前記少なくとも１つの反射器反射係数は、反射器無線反射係数であり、
前記伝送機は、伝送機速度を有し、前記伝送機周波数は、前記伝送機速度に従って変動する伝送機ドップラ偏移によって、少なくとも部分的に判定され、
前記受信機は、受信機速度を有し、前記受信機周波数は、前記受信機速度に従って変動する受信機ドップラ偏移によって、少なくとも部分的に判定され、
前記ストリーム識別可能ＯＴＦＳパイロットバーストは、複数の無線ＯＴＦＳパイロット記号波形バーストを備え、
前記２Ｄチャネル状態は、前記少なくとも１つの伝送機、受信機、および反射器の、相対場所と、速度と、伝送機ドップラ偏移、受信機ドップラ偏移、反射器ドップラ偏移によって引き起こされる速度誘発周波数偏移と、反射器反射係数とに関する情報を備える、請求項１に記載の方法。
【請求項１７】
少なくとも１つの伝送機および少なくとも１つの受信機を接続する障害データチャネルの２Ｄチャネル状態を獲得する自動方法であって、
前記少なくとも１つの伝送機は、Ｔ個の一意的に構成された伝送アンテナを有し、前記少なくとも１つの受信機は、Ｒ個の一意的に構成された受信アンテナを有し、ＴおよびＲは両方とも、１より大きく、Ｒは、Ｔ以上であり、前記少なくとも１つの伝送機は、ストリーム識別可能ＯＴＦＳパイロットバーストの多くてもＴ個のストリームを、同一の周波数範囲にわたって同時に伝送するために、そのＴ個の伝送アンテナを使用するように構成され、前記ストリーム識別可能パイロットバーストのうちの１つ以上は、同時に、前記Ｔ個の伝送アンテナのうちの１つよりも多くを通して伝送され、各ストリーム識別可能ＯＴＦＳパイロットバーストは、ストリーム識別可能であるように選定される異なるＯＴＦＳパイロット記号を有し、前記ストリーム識別可能ＯＴＦＳパイロットバーストは、時間および周波数の複数の組み合わせにわたって伝送され、各前記時間および周波数は、２次元パイロットＯＴＦＳ時間・周波数グリッドから選定される一意的パイロット時間周波数座標であり、
前記方法は、
前記少なくとも１つの受信機において、少なくとも、前記ＯＴＦＳ時間・周波数グリッドに比例するビンサイズおよびビン座標位置を伴う受信機ビンを有する２次元パイロットＯＴＦＳ時間・周波数ビン構造に従って、少なくとも前記ストリーム識別可能ＯＴＦＳパイロットバーストを受信することを含み、
前記障害データチャネルを通した伝搬時に、ストリーム識別可能ＯＴＦＳパイロットバーストは、前記少なくとも１つの伝送機から前記少なくとも１つの受信機まで直接進行し、その結果、前記ストリーム識別可能ＯＴＦＳパイロットバーストは、前記少なくとも１つの受信機において伝送機周波数偏移および受信機周波数偏移させられる、ストリーム識別可能ＯＴＦＳパイロットバーストになり、かつ／または、ストリーム識別可能ＯＴＦＳパイロットバーストは、前記少なくとも１つの受信機に到達する前に、少なくとも１つの反射器から反射しており、その結果、前記ストリーム識別可能ＯＴＦＳパイロットバーストは、前記少なくとも１つの受信機においてさらに反射器時間遅延および反射器周波数偏移させられる、ストリーム識別可能ＯＴＦＳパイロットバーストになり、
前記少なくとも１つの受信機において、伝送機周波数偏移および受信機周波数偏移させられる、前記ストリーム識別可能ＯＴＦＳパイロットバーストのうちの任意のストリーム識別可能ＯＴＦＳパイロットバーストと、さらに反射器時間遅延および反射器周波数偏移させられる、前記ストリーム識別可能ＯＴＦＳパイロットバーストのうちの任意のストリーム識別可能ＯＴＦＳパイロットバーストとの結果として生じる組み合わせは、チャネル畳み込みストリーム識別可能ＯＴＦＳパイロットバーストを生成し、
前記受信することは、
前記チャネル畳み込みストリーム識別可能ＯＴＦＳパイロットバーストを受信するために、前記ビン構造を使用することを含み、
前記Ｔ個の伝送アンテナおよびＲ個の受信アンテナは、前記Ｒ個の受信アンテナが、検出可能に異なる２Ｄチャネル状態とともに、異なる受信アンテナ特有のチャネル畳み込みストリーム識別可能ＯＴＦＳパイロットバーストを受信するように、構成され、
前記少なくとも１つの受信機において、前記アンテナ特有のチャネル畳み込みストリーム識別可能ＯＴＦＳパイロットバーストを受信するために、前記Ｒ個の受信アンテナを使用し、
各無線受信アンテナＲａおよび各ストリーム識別可能な複数のＯＴＦＳパイロット記号波形に関して、前記受信アンテナにおける前記２Ｄチャネル状態を判定するために、受信機プロセッサを使用し、それによって、ストリーム特有２Ｄチャネル状態を判定し、
各前記ストリーム特有２Ｄチャネル状態は、前記少なくとも１つの伝送機、受信機、および反射器の、相対場所と、速度と、伝送機ドップラ偏移、受信機ドップラ偏移、反射器ドップラ偏移によって引き起こされる速度誘発周波数偏移と、反射器反射係数とに関する情報を備える、
方法。
【請求項１８】
また、無線データ搬送波形バーストを備えるデータバーストとして、複数のデータ記号のうちの少なくともいくつかを前記少なくとも１つの無線受信機に伝送するために、前記少なくとも１つの無線伝送機および少なくとも１つのプロセッサを使用することによって、前記障害データチャネルを通して前記複数のデータ記号を伝送することであって、
前記データバーストはまた、前記少なくとも１つの伝送機から前記少なくとも１つの受信機まで直接進行し、その結果、前記データバーストは、前記少なくとも１つの無線受信機において伝送機ドップラ偏移および受信機ドップラ偏移させられる、データバーストになり、かつ／または、前記データバーストはまた、前記少なくとも１つの無線反射器から反射され、その結果、前記データバーストは、前記少なくとも１つの無線受信機において、さらに反射器時間遅延および反射器速度ドップラ偏移させられる、データバーストになり、前記少なくとも１つの無線受信機において、伝送機ドップラ偏移および受信機ドップラ偏移させられる、前記データバースト、および、さらに反射器時間遅延および反射器速度ドップラ偏移させられる、データバーストの任意のデータバーストの結果として生じる組み合わせは、チャネル畳み込みデータバーストを生成する、ことと、
ａ）前記障害データチャネルを事前補償するように、前記少なくとも１つの無線伝送機において前記データバーストのうちの少なくともいくつかを事前コード化すること、および
ｂ）前記少なくとも１つの無線受信機において前記チャネル畳み込みデータバーストのうちの少なくともいくつかを逆畳み込みし、それによって、前記複数のデータ記号の少なくとも近似値を導出すること
のうちの少なくとも１つをさらに行うために、前記２Ｄチャネル状態および少なくとも１つのプロセッサを使用することと、
をさらに含み、
前記データ記号および無線データ搬送波形バーストは、ＴＤＭＡ、ＧＳＭ（登録商標）、ＦＤＭＡ、ＯＦＤＭ、ＣＤＭＡ、ＯＴＦＳ無線波形バースト、または他のタイプの無線波形バーストのうちのいずれかによって伝送される、請求項１７に記載の方法。
【請求項１９】
少なくとも前記データ記号はさらに、２次元ＯＴＦＳデータ時間・周波数グリッドの記号フレーム部分に配列され、前記記号フレームは、少なくとも前記データ記号のＮ×ＮまたはＮ×Ｍフレームのいずれか一方であり、ＮおよびＭは両方とも、１より大きい整数であり、
記号フレーム毎の基準で、前記少なくとも１つのプロセッサは、無損失かつ可逆変換を使用して、前記記号フレーム内の少なくとも全てのデータ記号にわたって、少なくとも各データ記号からの情報を拡散し、それによって、複数のＯＴＦＳ記号と、対応するＯＴＦＳ変換データバーストとを備える、対応するＯＴＦＳフレームを生成し、
前記少なくとも１つの無線受信機はさらに、ＯＴＦＳフレーム毎の基準で、前記チャネル畳み込みＯＴＦＳ変換データバーストを受信し、ＯＴＦＳフレーム毎の基準で、前記複数のＯＴＦＳ記号を逆畳み込みし、それによって、前記ＯＴＦＳフレームの近似値を生成し、
前記ＯＴＦＳフレームの前記近似値から、さらに反射器時間遅延および反射器速度ドップラ偏移させられる、データバーストの少なくともデータ記号を抽出するために、前記少なくとも１つのプロセッサおよび前記変換の逆数をさらに使用する、
請求項１８に記載の方法。
【請求項２０】
前記障害データチャネルを事前補償するように、前記少なくとも１つの無線伝送機において少なくともいくつかのデータバーストを事前コード化することにおいて、前記ストリーム特有２Ｄチャネル状態のうちの１つ以上を使用することをさらに含む、請求項１８に記載の方法。
【請求項２１】
前記少なくとも１つの無線伝送機は、少なくとも１つの偏波方向に従って、偏波無線ストリーム特有ＯＴＦＳパイロット記号波形バーストを備える、偏波ストリーム特有ＯＴＦＳパイロットバーストとして、前記ストリーム特有ＯＴＦＳパイロットバーストを伝送し、
前記少なくとも１つの無線反射器は、第１の反射器偏波演算子に従って、その反射無線ストリーム特有ＯＴＦＳ波形バーストの偏波方向を変更し、それによって、前記偏波ストリーム特有ＯＴＦＳパイロットバーストの偏波偏移時間遅延および反射器ドップラ偏移複製を備える、複製偏波ストリーム特有ＯＴＦＳパイロットバーストを生成する、偏波改変無線反射器であり、
前記少なくとも１つの無線受信機はさらに、その受信された無線波形において偏波方向を検出するように構成され、
前記少なくとも１つの無線受信機において、任意の前記伝送機ドップラ偏移、受信機ドップラ偏移、および受信機偏波ストリーム特有ＯＴＦＳパイロットバーストと、複製偏波ストリーム特有ＯＴＦＳパイロットバーストとの結果として生じる組み合わせは、チャネル畳み込み偏波ストリーム特有ＯＴＦＳパイロットバーストを生成し、
前記チャネル畳み込み偏波ストリーム特有ＯＴＦＳパイロットバーストを受信し、それらの偏波方向を検出し、
前記障害データチャネルの前記２Ｄチャネル状態をさらに判定するために、前記チャネル畳み込み偏波ストリーム特有ＯＴＦＳパイロットバーストの前記偏波方向をさらに使用する、
請求項１８に記載の方法。
【請求項２２】
前記２Ｄチャネル状態を判定することはさらに、前記ストリーム識別可能ＯＴＦＳデータおよびパイロットバーストに関して、第１の時間・周波数座標において伝送されたストリーム１ＯＴＦＳパイロット記号波形バーストがどのようにして、異なる時間・周波数座標において最初に伝送された異なるストリーム２ＯＴＦＳパイロット記号波形バースト、および前記障害データチャネルの受信アンテナ特有の側面に従って前記ストリーム１ＯＴＦＳパイロット記号波形バーストに通常対応するものと異なるビン上に投影されるかを数学的に表すために、少なくとも１つの２Ｄインパルス応答を使用することであって、それによって、各ストリームに関して、Ｒ個の受信アンテナ特有の２Ｄインパルス応答を判定する、ことと、
前記伝送機において前記ストリームを事前コード化するか、または前記受信アンテナ特有のチャネル畳み込みストリーム識別可能ＯＴＦＳデータおよびパイロットバーストを逆畳み込みするかのいずれかのために、前記Ｒ個の受信アンテナ特有の２Ｄインパルス応答を使用することと、
を含む、請求項１８に記載の方法。
【請求項２３】
前記Ｔ個の一意的に構成された伝送アンテナのうちの少なくともいくつかは、異なって偏波された伝送アンテナであり、前記ストリーム識別可能ＯＴＦＳデータおよびパイロットバーストは、異なる偏波方向に従って前記異なって偏波された伝送アンテナによって伝送される、偏波ストリーム識別可能ＯＴＦＳデータおよびパイロットバーストであり、
前記少なくとも１つの無線反射器は、第１の反射器偏波演算子に従って、その反射無線ＯＴＦＳ波形バーストの偏波方向を変更し、それによって、前記偏波ストリーム識別可能ＯＴＦＳデータおよびパイロットバーストの偏波偏移時間遅延ならびに反射器ドップラ偏移複製を備える、偏波ストリーム識別可能複製ＯＴＦＳデータおよびパイロットバーストを生成する、偏波改変無線反射器であり、
前記少なくとも１つの受信機は、その受信された無線波形において偏波方向を検出するように構成される、そのＲ個の一意的に構成された受信アンテナのうちの少なくともいくつかを有し、
前記少なくとも１つの無線受信機において、伝送機ドップラ偏移および受信機ドップラ偏移させられる任意の偏波ストリーム識別可能ＯＴＦＳデータおよびパイロットバーストと、偏波ストリーム識別可能複製ＯＴＦＳデータおよびパイロットバーストとの結果として生じる組み合わせは、アンテナ特有のチャネル畳み込みストリーム識別可能偏波ＯＴＦＳデータおよびパイロットバーストを生成し、
前記アンテナ特有のチャネル畳み込みストリーム識別可能偏波ＯＴＦＳデータおよびパイロットバーストの偏波方向を受信して検出するために、前記受信機のＲ個の一意的に構成された受信アンテナのうちの少なくともいくつかをさらに使用し、
各受信アンテナＲａおよび各ストリーム識別可能な複数のＯＴＦＳパイロット記号波形に関して、前記受信アンテナＲａにおける前記２Ｄチャネル状態を判定するために、受信機プロセッサを使用し、
ａ）前記障害データチャネルを事前補償するように、前記少なくとも１つの伝送機において前記偏波ストリーム識別可能ＯＴＦＳデータおよびパイロットバーストのうちの少なくともいくつかを事前コード化すること、および
ｂ）前記少なくとも１つの受信機において前記アンテナ特有のチャネル畳み込みストリーム識別可能偏波ＯＴＦＳデータおよびパイロットバーストのうちの少なくともいくつかを逆畳み込みし、それによって、前記複数のデータ記号の少なくとも近似値を導出すること
のうちの少なくとも１つを行うために、前記２Ｄチャネル状態を使用する、請求項１８に記載の方法。
【請求項２４】
前記２Ｄチャネル状態および前記事前コード化することはさらに、前記Ｔ個の一意的に構成された伝送アンテナによって伝送される無線波形の空間指向性を成形するために使用され、または前記２Ｄチャネル状態および前記逆畳み込みすることは、前記Ｒ個の一意的に構成された受信アンテナによって受信される無線波形の空間指向性を成形するために使用される、請求項１８に記載の方法。
【請求項２５】
空間指向性は、前記Ｔ個の一意的に構成された伝送アンテナによって伝送される無線波形の相対位相または角度のうちのいずれかを調節することによって達成され、または前記Ｒ個の一意的に構成された受信アンテナによって受信される無線波形の空間指向性は、前記Ｒ個の一意的に構成された受信アンテナによって受信される無線波形の相対位相または角度を監視することによって達成される、請求項１７に記載の方法。
【請求項２６】
前記多くてもＴ個のストリームは、時間および周波数の同一範囲にわたって、一般的に共有されるＯＴＦＳ搬送波形によって搬送される、請求項２５に記載の方法。
【請求項２７】
各前記ストリーム識別可能ＯＴＦＳデータおよびパイロットバーストは、非アンテナ識別可能かつ非アンテナ特異的であり、各伝送アンテナは、少なくとも１つのストリーム識別可能無線ＯＴＦＳパイロット記号波形とともに、無線ＯＴＦＳデータ記号波形の少なくとも１つのストリームを伝送する、請求項２５に記載の方法。
【請求項２８】
各伝送アンテナは、伝送アンテナ特有の位相または出力設定に従って、少なくとも１つのストリーム識別可能無線ＯＴＦＳパイロット記号波形とともに、無線ＯＴＦＳデータ記号波形の少なくとも１つのストリームを伝送し、それによって、前記ストリームを伝送するこれらの伝送アンテナによって伝送される、無線波形の空間指向性を成形する、請求項２７に記載の方法。
【請求項２９】
前記ストリーム識別可能ＯＴＦＳデータおよびパイロットバーストはまた、アンテナ識別可能かつアンテナ特異的であり、各伝送アンテナは、複数のアンテナ特有の識別可能無線ＯＴＦＳパイロット記号波形とともに、無線ＯＴＦＳデータ記号波形のアンテナ特有のストリームを伝送する、請求項２５に記載の方法。